(57)【特許請求の範囲】
【請求項１】
ゴム等の耐摩耗性弾性材料で塑造して内部を渦巻室に形成されたポンプケーシングの背部からシールプレートを定着させ、該シールプレートの周辺部から導下された補強壁を上記ポンプケーシングの巻の外周へ当接させ、シールプレートを介してポンプケーシング上に立設される筒状モータフレームの外周面において、下端部が前記ポンプケーシング内の渦巻室へ通じ上端部がポンプ吐出口へ通じる水路と、下端部がメカニカルシール周辺部の第１オイル室へ通じ上端部がモータフレーム上方部の給油口へ通じる第２オイル室とを、円周方向へ並列状に縦設したことを特徴とする、立型水中電動ポンプ。
【請求項２】
筒状モータフレームの外周面には複数の水路が縦設されており、各水路の上端部が筒状モータフレームの上方部側周で合流してポンプ吐出口へ通じるよう構成したことを特徴とする、請求項１記載の立型水中電動ポンプ。
【発明の詳細な説明】
【０００１】
【発明の技術分野】
本発明は、立型水中電動ポンプに関するものである。
【０００２】
【従来技術とその問題点】
立型水中電動ポンプは従来、図９に示すようポンプケーシング１０１上に後面ライナ１０８を介してオイルケーシング１００を重合させ、その上にモータフレーム１１１が立設されている。そして潤滑油の冷却は揚水で行われるが、耐摩耗性を保有させるためオイル室１２２と接する後面ライナ１０８にゴム被覆１０９等を施した場合は、オイルの冷却機能が損なわれることになる。また、ポンプケーシング１０１をゴム製とした場合は、水圧による変形を阻止するため肉厚増による補強が必要となり、無駄な体積増加を伴うことになる。更にまた、給油口１２３の開設位置がオイル室１２２の側面に限定されるため、給油時にはポンプを横倒しにしなければならないという不便さがある。
【０００３】
【発明の目的】
本発明の目的は、シールプレートにゴム被覆を施した場合でもオイルの冷却機能がが損なわれることなく、ポンプケーシングをゴム製とした場合にも無駄な体積増加を伴うことなく水圧による変形が阻止し得られ、かつ、給油時に横倒しとする必要のない立型水中電動ポンプを提供することにある。
【０００４】
【発明の構成】
本発明に係る立型水中電動ポンプでは、ゴム等の耐摩耗性弾性材料で塑造して内部を渦巻室に形成されたポンプケーシングの背部からシールプレートを定着させ、該シールプレートの周辺部から導下された補強壁を上記ポンプケーシングの巻の外周へ当接させ、シールプレートを介してポンプケーシング上に立設される筒状モータフレームの外周面において、下端部が前記ポンプケーシング内の渦巻室へ通じ上端部がポンプ吐出口へ通じる水路と、下端部がメカニカルシール周辺部の第１オイル室へ通じ上端部がモータフレーム上方部の給油口へ通じる第２オイル室とを、円周方向へ並列状に縦設した。また、筒状モータフレームの外周面に複数の水路を縦設した場合には、各水路の上端部が筒状モータフレームの上方部側周で合流してポンプ吐出口へ通じるよう構成する。
【０００５】
【実施例】
以下本発明実施例の図面により説明をする。
【０００６】
１はゴム等の耐摩耗性弾性材料で作られたポンプケーシングであって、内部は渦巻室２に形成されている。３はモータ軸４の導下部に嵌着されてポンプケーシング１内に収容された羽根車、５はポンプケーシング１の下縁部に定着せられ中央にポンプ吸込口６を開口させたサクションカバー、７はストレーナ、８はポンプケーシング１の背部に定着されたシールプレート、９は耐摩耗性材料で作られてシールプレート８の下面に添着された保護シート、１０はポンプケーシング１が水圧によって外側へ変形することを阻止するための補強壁であり、シールプレート８の周辺部から導下されてポンプケーシング１の巻の外周へ当接する。そしてシールプレート８の下端面とポンプケーシング１の下端面とをツライチ状となし、該ツライチ面にサクションカバー５を当接させて要所にボルト締めを施すのであるが、下端面に螺子孔が穿設された補強壁１０がポンプケーシング１の外周にあるためボルト締め時の位置合せが容易であると共に、補強壁１０の下端面が締付の当りの役割をも果たすことになり、組立作業に好便である。１１はポンプケーシング１のシールプレート８上に立設された筒状モータフレームであって、上端面はヘッドカバー１２を装着するなどにより閉塞せられ内部にはモータ１３が収容されている。モータフレーム１１の外周面には、その筒軸方向へ伸延される水路１４と隣接して第２オイル室１５および電装室１６が円周方向へ並列状に縦設されている。17・・・・１７は上記各室を区画する隔壁である。前記渦巻室２における巻の終端部２Ｅは水路１４の下端部と通じ、水路１４の上端部はヘッドカバー１２の内周部に形成される誘導路１８を経てポンプ吐出口１９へ通じている。実施例の図面に示すよう、２個の水路１４，１４が対向状に配設せられ、それぞれの下端部が二重渦巻室２の巻の終端部２Ｅ，２Ｅとそれぞれ各別に導通させてある場合には、各水路１４，１４の上端部がヘッドカバー１２内の誘導路１８で合流してポンプ吐出口１９へ通じるのである。第２オイル室１５は隔壁１７を介して水路１４，１４間に狭まれるようにして縦設されており、その下端部はモータフレーム１１の下方部に穿設された通油孔２０を介して、メカニカルシール２１の周辺部に形成された第１オイル室２２へ通じ、上端部はヘッドカバー１２の上面から開設された給油口２３へ通じている。２４は給油口２３に施される給油プラグである。電装室１６はその内側面に設けられたリード線引出孔２５を介してモータフレーム１１内へ通じ上端面がモータフレーム１１上方部の電源ケーブル挿通口２６へ通じている。
【０００７】
【作用】
ポンプ駆動時には、ポンプ吸込口６から渦巻室２内へ吸込まれた水は、巻の終端部２Ｅから水路１４内を上昇する過程でモータフレーム１１内のモータ１３および第２オイル室１５内の潤滑油を冷却しつつ誘導路１８を経てポンプ吐出口１９から吐出される。
【０００８】
【発明の効果】
本発明立型水中電動ポンプにおいては、モータフレームの外周面空間を利用して第２オイル室を水路に隣接させた態様で並列状に縦設させるのであるから、揚水による潤滑油の冷却効果が高められ、シールプレート下面に耐摩耗性保護シートが添着されてある場合でもオイルの冷却機能は何ら損なわれることがなく、軸封装置を長寿命化し得られるのである。また、ポンプケーシングがゴム製であっても補強壁で保護されるため、肉薄に作られていても水圧による変形を生じることはない。更にまた、給油口がモータフレームの上方部から開設されるので、給油時にポンプを横倒しにすることを要しないという利点がある。
【図面の簡単な説明】
【図１】本発明立型水中電動ポンプの水路および第２オイル室が表示される部位での縦断側面図である。
【図２】本発明立型水中電動ポンプの水路および電装室が表示される部位での縦断側面図である。
【図３】本発明立型水中電動ポンプにおけるモータフレームの平面図である。
【図４】本発明立型水中電動ポンプにおけるモータフレームの底面図である。
【図５】図３のＡ−Ａ線における縦断側面図である。
【図６】図３のＢ−Ｂ線における縦断側面図である。
【図７】図３ないし図６に示されたモータフレームの上端面を閉塞するためのヘッドカバーの底面図である。
【図８】図１のＣ−Ｃ線における横断平面図である。
【図９】従来における立型水中電動ポンプの縦断側面図である。
【符号の説明】
１      ポンプケーシング
２      渦巻室
８      シールプレート
１０    補強壁
１１    モータフレーム
１４    水路
１５    第２オイル室
１９    ポンプ吐出口
２１    メカニカルシール
２２    第１オイル室
２３    給油口
２６    電源ケーブル挿通口
【図１】
0004294780.tif 000002
【図２】
0004294780.tif 000003
【図３】
0004294780.tif 000004
【図４】
0004294780.tif 000005
【図５】
0004294780.tif 000006
【図６】
0004294780.tif 000007
【図７】
0004294780.tif 000008
【図８】
0004294780.tif 000009
【図９】
0004294780.tif 000010